(57)【要約】【課題】本発明は、電子機器間をケーブルで接続する際の電子回路の静電破壊を防止することを目的とする。【解決手段】二つに分離したコネクタ端子をケーブル挿抜方向に対して直列に配置し、ケーブル挿入時に最初に接触する方のコネクタ端子を接地し、後から接触する方のコネクタ端子を基板に接続することで、最初に接触する方のコネクタ端子を介して静電気を放電した後、基板に接続されたコネクタ端子に接続することで電子回路の静電破壊を防止する。【選択図】図３
2018206576.tif 000002
【特許請求の範囲】
【請求項１】
第１の端子と第２の端子から成り、
第１の端子と第２の端子は、ケーブルの挿抜方向に対して直列に配置され、
第１の端子と第２の端子の間に絶縁領域が設けられていることを特徴とするコネクタ。
【請求項２】
前記第１の端子は、接地されていることを特徴とする請求項１に記載のコネクタ。
【請求項３】
前記第１の端子は、ツェナーダイオードを介して接地されていることを特徴とする請求項１に記載のコネクタ。
【請求項４】
前記第１の端子と第２の端子は、抵抗素子を介して接続されていることを特徴とする請求項１に記載のコネクタ。
【請求項５】
前記第１の端子と第２の端子は、抵抗素子を介して接続され、
前記第１の端子は、ツェナーダイオードを介して接地されていることを特徴とする請求項１に記載のコネクタ。
【請求項６】
前記絶縁領域は、第１の端子と第２の端子が物理的に分離していることを特徴とする請求項１乃至請求項５の何れかに記載のコネクタ。
【請求項７】
前記絶縁領域は、第１の端子と第２の端子の間に絶縁体が挿入されていることを特徴とする請求項１乃至請求項５の何れかに記載のコネクタ。
【請求項８】
請求項１乃至請求項７の何れかに記載の前記第２の端子のケーブルの挿抜方向の長さより短い接触部を有する端子を持つことを特徴とするケーブル。
【請求項９】
請求項１乃至請求項７の何れかに記載のコネクタを具備することを特徴とするテレビ受信機。
【発明の詳細な説明】
【技術分野】
【０００１】
本発明は、電子機器、または電子部品を搭載した基板間を電気的に接続するケーブル及びそのケーブルを接続するために電子機器、基板に設けられるコネクタ、及びかかるコネクタを搭載したテレビ受信機に関する。
【背景技術】
【０００２】
電子機器または電子部品を搭載した基板間を電気的に接続する場合、ケーブル、及びコネクタが使用される。
ここで、ケーブルをコネクタに接続する際に静電気により、電子回路が破壊される恐れが有る。
このような静電気による破壊を防止する技術が特許文献に開示されている。
特許文献に開示された技術では、ケーブルの１つの信号線を２つの接続端子に分割し、一方の端子には高抵抗の抵抗素子を入れる。
コネクタとの接続時には、この抵抗素子のある側の端子がまず接触し、次いでもう一方の側の端子が接触する構造となっている。
かかる構造により、先に接触する抵抗素子を入れた端子により高抵抗を介して静電気が放電されるため、電子回路に加わる電圧が低減されて電子回路の破壊が防止できる。
【先行技術文献】
【特許文献】
【０００３】
特開平５−３６４５５号公報
【発明の概要】
【発明が解決しようとする課題】
【０００４】
特許文献に開示された技術では、ケーブル、及びコネクタの接続端子の数が信号線の２倍になる。
そのため、ケーブル、及びコネクタのサイズが大きくなり機器の小型化には適さない。
また、接続部が増えるため電気的な接触不良等が生じる可能性が増え、機器の信頼性が低下する恐れが有る。
加えて、部品点数が増えることからコストアップにつながる。
本発明は、上記のような課題を解決することを目的とするものである。
【課題を解決するための手段】
【０００５】
上記課題を解決するため、本発明は以下のような手段を講じる。
【０００６】
即ち、本発明にかかるコネクタは、第１の端子と第２の端子から成り、第１の端子と第２の端子は、ケーブルの挿抜方向に対して直列に配置され、第１の端子と第２の端子の間に絶縁領域が設けられていることを特徴とする。
かかる構成により、静電気による高電圧が第２の端子に印加されることを防止する。
【０００７】
ここで、前記第１の端子は、接地されていることが好ましい。
かかる構成により、静電気が第１の端子からグランドに放電される。
【０００８】
また、前記第１の端子は、ツェナーダイオードを介して接地されていることが好ましい。
かかる構成により、出力側のドライバー回路からの出力信号の短絡を防止する。
【０００９】
更に、前記第１の端子と第２の端子は、抵抗素子を介して接続されていても良い。
かかる構成により、第２の端子に印加される静電気を低減する。
【００１０】
加えて、前記第１の端子と第２の端子は、抵抗素子を介して接続され、前記第１の端子は、ツェナーダイオードを介して接地されていても良い。
かかる構成により、第２の端子に印加される静電気を低減しつつ、静電気を第１の端子からグランドに放電させる。
尚、前記絶縁領域は、第１の端子と第２の端子が物理的に分離していても良く、第１の端子と第２の端子の間に絶縁体が挿入されていても良い。
一方、本発明にかかるケーブルは、前記第２の端子のケーブルの挿抜方向の長さより短い接触部を有する端子を持つことが好ましい。
また、本発明にかかるテレビ受信機は、本発明にかかるコネクタを具備する。
尚、以上の各構成要素は、可能な限り互いに組み合わせることができるものである。
【発明の効果】
【００１１】
本発明によれば、ケーブル、及びコネクタの接続端子を増やさないので、ケーブル、及びコネクタのサイズを大きくすることなく静電気による電子部品の破壊を防止することができる。
【図面の簡単な説明】
【００１２】
【図１】本発明にかかる全体構成図である。
【図２】本発明にかかる全体構成のブロック図である。
【図３】本発明にかかる第１の実施形態である。
【図４】本発明にかかる第２の実施形態である。
【図５】本発明にかかる第３の実施形態である。
【図６】本発明にかかる第４の実施形態である。
【発明を実施するための形態】
【００１３】
本発明にかかるケーブル、及びコネクタの利用形態を図１に示す。
【００１４】
図１は、本発明にかかるケーブル、及びコネクタを用いて接続される電子機器の例の概略図である。
【００１５】
図１において、１はテレビ受信機、２はスピーカ、３はケーブルである。
ケーブル３を介してテレビ受信機１とスピーカ２が接続される。
テレビ受信機１とスピーカ２の間は、ケーブル３により各種の電気信号が送受信される。図２は、図１にかかるテレビ受信機１、スピーカ２がケーブル３で接続された状態のブロック図である。
図２において、１０１はテレビ受信機１のコネクタ、１０２はテレビ受信機１の電子回路基板、２０１はスピーカ２のコネクタ、２０２はスピーカ２の電子回路基板である。
尚、図１と同じ構成要素には同じ符号を付し、説明は省略している。
テレビ受信機１の電子回路基板１０２とスピーカ２の電子回路基板２０２がそれぞれコネクタ１０１、２０１を介してケーブル３で接続される。
【００１６】
電子回路基板１０２、２０２へ入力、または電子回路基板１０２、２０２から出力される電気信号は、コネクタ１０１、２０１を介し、ケーブル３を通じてテレビ受信機１とスピーカ２の間を送受信される。
【００１７】
本発明にかかるケーブル、及びコネクタは上記のような例に代表される形態で利用されるものである。
尚、上記利用形態は一例であり、これに限定されるものではない。
【００１８】
（第１の実施形態）
図３は、本発明の第１の実施形態にかかるケーブル、及びコネクタの構造図である。
図３（Ａ）は、コネクタ、図３（Ｂ）はケーブルの構造図である。
図３において、４はコネクタ、４０１はコネクタ４の第１の接続端子、４０２はコネクタ４の第２の接続端子、４０３はグランド(接地)部、４０４は信号線、４０５は絶縁領域、４０６は電子回路基板、５はケーブル、５０１はケーブル５の端子、５０２は端子５０１の接触部、５０３は端子５０１が配置される基板である。
図３（Ａ）を参照して、コネクタ４の端子は、第１の接続端子４０１、及び第２の接続端子４０２により構成される。
第１の接続端子４０１は、グランド部４０３に接続される。即ち、第１の接続端子４０１は接地される。
【００１９】
一方、第２の接続端子４０２は、信号線４０４に接続される。
また、第１の接続端子４０１と第２の接続端子４０２の間には絶縁領域４０５が設けられる。
【００２０】
次に、図３（Ｂ）を参照して、ケーブル５には端子５０１が設けられる。
端子５０１は、その先端がクランク状に折れ曲がり、接触部５０２を形成する。
かかる構造のケーブル、及びコネクタにおいて、ケーブル５がコネクタ４に接続される場合、先ず、ケーブル５の接触部５０２がコネクタ４の第１の接続端子４０１に接触する。
【００２１】
ここで、第１の接続端子４０１は接地されているため、ケーブル５からの静電気はグランドに放電される。
引続いてケーブル５がコネクタ４に挿入されると、ケーブル５の接触部５０２はコネクタ４の第２の接続端子４０２に接触する。
【００２２】
第２の接続端子４０２は、信号線４０４に接続されているため、ケーブル５を介した信号が電子回路基板４０６に入力される。
ここで、第１の接続端子４０１と第２の接続端子４０２の間には絶縁領域４０５が設けられているため、接触部５０２が第１の接続端子４０１に接触した際に、静電気による高電圧が第２の接続端子４０２に印加されることは無い。即ち、静電気が信号線４０４に印加されることは無く、それにつながる電子回路基板４０６に搭載された電子回路を破壊する恐れは無い。
【００２３】
また、端子５０１は、その先端がクランク状に折れ曲がって接触部５０２を構成しているため、接触部５０２は、第２の接続端子４０２に接触した状態では、第１の接続端子４０１とは非接触の状態となる。
よって、静電気が放電された後の信号が第１の接続端子４０１を通じて接地されることは無く、信号線４０４を介して、それにつながる電子回路基板４０６に搭載された電子回路との間で信号が送受信できる。
【００２４】
（第２の実施形態）
第１の実施形態は、ケーブル、及びコネクタで接続される機器の電源は切られた状態で使用される。
即ち、図１、図２の例では、テレビ受信機１の電源は切られた状態でテレビ受信機１とスピーカ２とをケーブル３で接続する。
機器の電源が入った状態で接続した場合、即ち、出力側のドライバー回路から信号を出力した状態でケーブルを介して接続した場合、接続端子４０１により出力側のドライバー回
路からの出力信号が短絡されてしまい、その結果、出力側のドライバー回路に電気的なダメージを与える恐れがあるからである。
第２の実施形態は、ケーブル、及びコネクタで接続される機器の電源が入った状態でも使用できる実施形態である。
【００２５】
図４は、本発明の第２の実施形態にかかるケーブル、及びコネクタの構造図である。
図４（Ａ）は、コネクタ、図４（Ｂ）はケーブルの構造図である。図３と同じ構成要素には同じ符号を付し、説明は省略する。
図４（Ａ）において、６０１はツェナーダイオードである。
図４（Ｂ）と図３（Ｂ）はケーブルについて同じ構造を示している。
図４（Ａ）と図３（Ａ）はコネクタについての構造であるが、その違いは、図３（Ａ）においては、第１の接続端子４０１が直接グランド部４０３に接続されるのに対して、図４（Ａ）においては、第１の接続端子４０１はツェナーダイオード６０１を介してグランド部４０３に接続される。
【００２６】
図４（Ａ）においては、かかる構造によりケーブル５がコネクタ４に接続される場合、先ず、ケーブル５の接触部５０２がコネクタ４の第１の接続端子４０１に接触する。
ここで、第１の接続端子４０１はツェナーダイオード６０１を介して接地されているため、ツェナーダイオード６０１により規定されるツェナー電圧を超える高電圧の静電気はグランド部４０３に放電される。
【００２７】
一方、ツェナー電圧を超えない電圧の信号(即ち、出力側のドライバー回路からの出力
信号)に対しては、ツェナーダイオード６０１は絶縁体としての特性を示す。そのため、
出力側のドライバー回路からの出力信号はグランド部４０３に短絡されず、出力側のドライバー回路に電気的なダメージを与える恐れはない。
その後、引続いてケーブル５がコネクタ４に挿入されると、ケーブル５の接触部５０２はコネクタ４の第２の接続端子４０２に接触する。
第２の接続端子４０２は、信号線４０４に接続されているため、ケーブル５を介した信号が電子回路基板４０６に入力される。
【００２８】
尚、第１の実施形態、及び第２の実施形態において、ケーブル５の端子５０１に設けられた接触部５０２について、端子５０１に対してその先端をクランク状に折れ曲げた形状として説明している。
しかし、接触部５０２の形状は、これに限定されるものではなく、ケーブル５がコネクタ４に接続された状態(即ち、ケーブル５がコネクタ４に対して挿抜が開始されてから挿抜
が完了するまでの過渡的な状態以外)において、第１の接続端子４０１と第２の接続端子
４０２に同時に接触しない形状であればよい。
即ち、接触部５０２のコネクタ４への挿抜方向の長さが第２の接続端子４０２のケーブル５が挿抜される方向の長さより短ければ良い。
尚、接触部５０２の形状は、点接触の形状よりも面接触の形状の方が好ましい。点接触の形状よりも面接触の形状の方が接触抵抗を小さくできるからである。接触抵抗を小さくすることで、ケーブル、コネクタ間での接続時の信号劣化を少なくすることができる。
【００２９】
（第３の実施形態）
第１の実施形態、及び第２の実施形態では、ケーブル５に設けられた端子５０１について、その先端をクランク状に折り曲げ接触部５０２を形成する構造としていた。
これに対して、第３の実施形態、及び次に説明する第４の実施形態においては、ケーブル５に設けられた端子５０１はフラットな形状であり、その先端部の形状を加工しない。
これにより、ケーブル５の製造工程が簡易化され、コストダウンが図れる。
【００３０】
図５は、本発明の第３の実施形態にかかるケーブル、及びコネクタの構造図である。
図５（Ａ）は、コネクタ、図５（Ｂ）はケーブルの構造図である。図３、図４と同じ構成要素には同じ符号を付し、説明は省略する。
図５（Ａ）において、７０１は高抵抗の抵抗素子である。
図５（Ａ）を参照して、第１の接続端子４０１は、抵抗素子７０１を介して第２の接続端子４０２及び信号線４０４と接続される。
【００３１】
図５（Ｂ）において、５０１はケーブル５の端子であり、その先端部までフラットな形状である。
かかる構造のケーブル、及びコネクタにおいて、ケーブル５がコネクタ４に接続される場合、先ず、ケーブル５の端子５０１がコネクタ４の第１の接続端子４０１に接触する。
ここで、第１の接続端子４０１と第２の接続端子４０２の間には絶縁領域４０５が設けられているため、接触部５０２が第１の接続端子４０１に接触した際に、静電気による高電圧が第２の接続端子４０２に印加されることは無く、接続端子４０２につながる信号線４０４を通じて電子回路基板４０６に搭載された電子回路を破壊する恐れは無い。
【００３２】
また、第１の接続端子４０１は抵抗素子７０１を介して信号線４０４と接続されているため、ケーブル５からの静電気が直接信号線４０４に印加されることは無く、信号線４０４につながる電子回路基板４０６に搭載された電子回路を破壊する恐れは無い。
引続いてケーブル５がコネクタ４に挿入されると、ケーブル５の端子５０１はコネクタ４の第１の接続端子４０１及び第２の接続端子４０２に接触する。
第２の接続端子４０２は、信号線４０４に接続されているため、ケーブル５を介した信号が電子回路基板４０６に入力される。
【００３３】
一方、第１の接続端子４０１は抵抗素子７０１を介して信号線４０４と接続されているため、静電気による高電圧でないレベルの信号（即ち、出力側のドライバー回路からの出力信号)については、第１の接続端子４０１と信号線４０４は絶縁されている状態と見な
すことができる。
尚、抵抗素子７０１の抵抗値は、数メガオーム程度が好ましい。
【００３４】
（第４の実施形態）
第３の実施形態は、抵抗素子７０１によって、静電気による高電圧の印加を防止するものであったが、第４の実施形態は、第３の実施形態にツェナーダイオードを介した放電機能を加えた構成である。
【００３５】
図６は、本発明の第４の実施形態にかかるケーブル、及びコネクタの構造図である。
図６（Ａ）は、コネクタ、図６（Ｂ）はケーブルの構造図である。図３、図４、図５と同じ構成要素には同じ符号を付し、説明は省略する。
図６（Ａ）を参照して、第１の接続端子４０１は、抵抗素子７０１を介して第２の接続端子４０２及び信号線４０４と接続される。
加えて、第１の接続端子４０１は、ツェナーダイオード６０１を介してグランド部４０３にも接続される。
ケーブル５の端子５０１は、図５（Ｂ）と同様に、その先端部までフラットな形状である。
図６（Ａ）においては、かかる構造によりケーブル５がコネクタ４に接続される場合、先ず、ケーブル５の端子５０１がコネクタ４の第１の接続端子４０１に接触する。
【００３６】
ここで、第１の接続端子４０１と第２の接続端子４０２の間には絶縁領域４０５が設けられているため、接触部５０２が第１の接続端子４０１に接触した際に、静電気による高電圧が第２の接続端子４０２に印加されることは無く、接続端子４０２につながる信号線
４０４を通じて電子回路基板４０６に搭載された電子回路を破壊する恐れは無い。
また、第１の接続端子４０１は抵抗素子７０１を介して信号線４０４と接続されているため、ケーブル５からの静電気による高電圧が直接信号線４０４に印加されることは無く、信号線４０４につながる電子回路基板４０６に搭載された電子回路を破壊する恐れは無い。
加えて、第１の接続端子４０１はツェナーダイオード６０１を介して接地されているため、ツェナーダイオード６０１により規定されるツェナー電圧を超える高電圧の静電気はグランド部４０３に放電される。
【００３７】
引続いてケーブル５がコネクタ４に挿入されると、ケーブル５の端子５０１はコネクタ４の第１の接続端子４０１及び第２の接続端子４０２に接触する。
第２の接続端子４０２は、信号線４０４に接続されているため、ケーブル５を介した信号が電子回路基板４０６に入力される。
一方、第１の接続端子４０１は抵抗素子７０１を介して信号線４０４と接続されているため、静電気による高電圧でないレベルの信号（即ち、出力側のドライバー回路からの出力信号)については、第１の接続端子４０１と信号線４０４は絶縁されている状態と見なす
ことができる。
【００３８】
また、ツェナー電圧を超えない電圧の信号(即ち、出力側のドライバー回路からの出力
信号)に対しては、ツェナーダイオード６０１は絶縁体としての特性を示す。そのため、
出力側のドライバー回路からの出力信号はグランド部４０３に短絡されない。
従って、出力側のドライバー回路からの出力信号に対しては、第１の接続端子４０１はフローティングの状態(浮いた状態)とみなすことができる。
【００３９】
故に、端子５０１がコネクタ４の第１の接続端子４０１と第２の接続端子４０２に同時に接触した状態であっても、出力側のドライバー回路からの出力信号に対して、第１の接続端子４０１が影響することは無い。
尚、第１の実施形態から第４の実施形態における絶縁領域４０５は、第１の接続端子４０１と第２の接続端子４０２が物理的に分離した形態であっても良いし、第１の接続端子４０１と第２の接続端子４０２の間に絶縁体（例えば、プラスチックなど）が挿入された形態であっても良い。
【００４０】
但し、第１の接続端子４０１と第２の接続端子４０２が物理的に分離した形態の場合、分離した絶縁領域４０５に埃などがたまり、或いは、導電性の異物（例えば、金属片、金属かすなど）が混入したりして第１の接続端子４０１と第２の接続端子４０２が導通してしまうことも考えられることから、第１の接続端子４０１と第２の接続端子４０２の間に絶縁体を挿入した形態の方が好ましい。
【符号の説明】
【００４１】
１…テレビ受信機、２…スピーカ、３、５…ケーブル、４…コネクタ、４０１…第１の接続端子、４０２…第２の接続端子、４０３…グランド(接地)部、４０４…信号線、４０５…絶縁領域、４０６…電子回路基板、５０１…ケーブル５の端子、５０２…端子５０１の接触部、５０３…端子５０１が配置される基板、６０１…ツェナーダイオード、７０１…抵抗素子
【図１】
2018206576.tif 000003
【図２】
2018206576.tif 000004
【図３】
2018206576.tif 000005
【図４】
2018206576.tif 000006
【図５】
2018206576.tif 000007
【図６】
2018206576.tif 000008